Podtech/llm-jp-corpus-v4-ja_patent huggingface dataset:
(57)【要約】【課題】均一なバランスと十分な重し効果を得るため、円盤状磁石を用い該円盤状磁石より出る磁力線を用いて野菜等の漬け加減を均一にし、短時間で浅漬けが出来る漬物器を提供するものである。【解決手段】容器及び蓋体とで漬物器を形成し、内容器には円盤状磁石、押え部材を内部に収納して蓋体の上部中心部よりボルトを挿入し、容器の底面でナット等で固定した内容器を磁石収納容器に収納し、該磁石収納容器を前記外容器の内部に入れ、外容器の下部を敷板の上部に載置した。【選択図】　　　　図１
2004057176.tif 000002
【特許請求の範囲】
【請求項１】
容器２及び蓋体３とで漬物器１を形成し、上部を開放して磁性体を有する金属で形成した磁石収納容器５を内部に収納すると共に、該磁石収納容器５の内部に、円盤状磁石４、押え部材８を収納して、蓋体７を有する内容器６に収納し、該内容器６の上部側壁に突起部１１を設けると共に、蓋体７の上部中心部に設けたボルト挿入穴１０より蓋体７、押え部材８、磁石４、内容器６と順に先端につまみ１３を取り付けたボルト１２を挿入し、底面でナット１４等で固定し磁石収納容器５に収納して、漬物器１の下部に磁性体を有する金属で形成した敷板９の上部に載置したことを特徴とする漬物器。
【請求項２】
内容器６に収納する磁石４を複数個収納すると共に敷板９に磁石４を付着したことを特徴とする請求項１の漬物器。
【発明の詳細な説明】
【０００１】
【発明の属する技術分野】
本発明は、野菜等の漬物を製造する漬物器と重しに関するものである。
【０００２】
【従来の技術】
従来、野菜等を漬物にするときは、押圧用の蓋体の上に重し等を載置して、容器内に収納されている野菜等を押圧して内部の水分を押し出し、塩分等を浸透させると共に野菜等に付着している微生物等を繁殖させて漬物独自の酸味と芳香の味を引き出していた。
【０００３】
【発明が解決しようとする課題】
しかしながら、蓋体の上に重し等を載置した場合は、蓋体の中心に載置しても移動したり、片側に片寄ったりするため重量のバランスが崩れ、漬物の漬け加減が均一にならず、味の良いものと、悪いものとが出来るという不具合が発生し、また浅漬け等も十分な漬け加減が得られないという欠点があった。
【０００４】
本発明は従来の欠点を解消し、均一なバランスと十分な重し効果を得るため、円盤状磁石を用い該円盤状磁石より出る磁力線を用いて野菜等の漬け加減を均一にし、短時間で浅漬けが出来る漬物器を提供することを目的とするものである。
【０００５】
【課題を解決するための手段】
上記目的を達成するため、本発明の漬物器においては、容器及び蓋体とで漬物器を形成し、上部を開放した磁石収納容器を内部に収納すると共に、該磁石収納容器の内部に、円盤状磁石、押え部材を収納した内容器を収納する。尚、内容器には蓋体の上部中心部に設けたボルト挿入穴より蓋体、押え部材、磁石、内容器と順に先端につまみを取り付けたボルトを挿入し、底面でナット等で固定して磁石収納容器に収納して、漬物器の下部を敷板の上部に載置したことを特徴とするものである。
【０００６】
【発明の実施の形態】
本発明の実施の形態を実施例にもとづき図面を参照して説明する。
図１は、本実施例を示す漬物器１で、容器２と蓋体３とよりなり、漬物器１と内容器６の内部に収納した円盤状磁石４、押え部材８をボルト１２で蓋体７より底面にかけてナット１４で固定し、該内容器６を収納する磁石収納容器５と敷板９とからなる。
【０００７】
磁石収納容器５は、上部を開放した磁性体を有する金属製で形成し、内部に蓋体７を設けた内容器６を収納すると共に内容器６には円盤状の磁石４、押え部材５を収納し、蓋体７の上部中心より先端につまみ１４を取り付けたボルト１２を蓋体７、押え部材８、内容器６のボルト挿入穴１０に通し、内容器６の底面でナット１４等で固着する。
【０００８】
内容器６は、蓋体７と容器６とを密閉するため容器６の上部側壁全体に突起部１１を設けてあり、該突起部１１に蓋体７を乗せて密閉するが、より強固な密閉状態を保つため蓋体７の中央部、押え部材８、内容器６底部にボルト挿入穴１０を設け、蓋体７より、押え部材８、磁石４、内容器６下面に先端につまみ１３を取り付けたボルト１２を通しナット１４で固定した。
【０００９】
敷板９は、磁性体を有する金属で形成し、形状は任意の形状でよく、本発明はお盆形に形成したが、例えば鍋敷きのような平板でもよく、その他任意の形状が考えられる。
【００１０】
図３は請求項２に示す実施例で、内容器６に収納する磁石４を複数個収納し、より磁力を強め、漬け物に十分な重量を与え、漬け物の材料になる野菜等への浸透を早め、漬け加減を均一にし、短時間で浅漬けを製造しようとするものである。
また、敷板９に磁石４を付着すればより強力な磁力線が得られる。
【００１１】
本発明は以上のような構成よりなるので、これを使用するときは、容器２の蓋体３を取り、つまみ１３を摘んで磁石収納容器５を引き上げ外容器２の内底に漬物材料を入れ、その上に磁石収納容器５を置き、外容器２の蓋体３を閉める。
【００１２】
磁石収納容器５に収納してある円盤状磁石４が敷物９の磁性体に引き寄せられ、磁石収納容器５の底面全体が漬物材料の上に乗っているので、漬物材料は底面により押圧されるのでバランスのとれた重しとなる。
【００１３】
【発明の効果】
磁石収納容器５の底面全体が重しとなるので、漬物材料全体が均一に押圧されるのでどれを取っても味の良い漬物ができ、また漬物の材料に磁力線が作用し全体の味覚が良くなり、また浅漬けは早く浸かるという効果を奏する。
【図面の簡単な説明】
【図１】本発明の実施例を示す縦断面図
【図２】本発明の実施例を示す分解斜視図
【図３】他の実施例で内容器に磁石を収納した状態を示す斜視図
【図４】他の実施例を示す縦断面図
【符号の説明】
１　漬物器
２　容器
３　蓋体
４　円盤状磁石
５　磁石収納容器
６　内容器
７　内容器蓋体
８　押え部材
９　敷物
１０　ボルト挿入穴
１１　突起部
１２　ボルト
１３　つまみ
１４　ナット
【図１】
2004057176.tif 000003
【図２】
2004057176.tif 000004
【図３】
2004057176.tif 000005
【図４】
2004057176.tif 000006
(57)【要約】【目的】本発明は、本来的に各種の花弁のもつ香味・喫味を嗜み楽しむ燻煙（スモーク）／薫煙・喫煙嗜好品である。該嗜好品はニコチン非含有であり、嫌煙性を排除したものであって、喫煙嗜好者にとってはストレス等の解消、リラクセーション効果をもたらし、周りの非喫煙者に対してもその副流煙（燻煙／薫煙）のピュアーなアロマ効果を期すことができる燻煙（スモーク）／薫煙をたしなみ喫煙を楽しむ燻煙（スモーク）／薫煙・喫煙嗜好品に関するものである。【構成】基本的に、各種の花弁の一種類以上を主原料とし、これに加香、加味材としてのハーブ・芳香植物等一種類以上を混合・添加してなる、シガレット形状の燻煙（スモーク）／薫煙・喫煙嗜好品であって、該嗜好品に、砂糖、ポリオール、ココア、リコリス等の加香、加味材の一つ以上を添加混合して香味テイストおよび喫味テイストを調合付加する燻煙（スモーク）／薫煙・喫煙嗜好品。【選択図】なし【特許請求の範囲】
【請求項１】
基本的に、各種の花弁の一種類以上を主原料とし、これに加香、加味材としてのハーブ・芳香植物等一種類以上を混合・添加してなる、シガレット形状の燻煙（スモーク）／薫煙・喫煙嗜好品。
【請求項２】
請求項１の該喫煙嗜好品に、砂糖、ポリオール、ココア、リコリス等の加香、加味材の一つ以上を添加混合して香味テイストおよび喫味テイストを調合付加する燻煙（スモーク）／薫煙・喫煙嗜好品。
【発明の詳細な説明】
本発明は、シガレット形状をなし、ニコチン非含有の、本来的に香味・喫味を嗜み楽しむ燻煙（スモーク）／薫煙・喫煙嗜好品である。喫煙嗜好者にとってはストレス等の解消、リラクゼーション効果を期待し、併せて、非喫煙者に対してもその副流煙（燻煙／薫煙）のピュアーなアロマ効果を期待することにある。
【０００１】
【発明の属する分野】
ニコチンによる健康阻害を排除したアロマ効果を期待した燻煙（スモーク）／薫煙を嗜み、かつ喫煙を楽しむことを目的とした嗜好品に類するものである。
【０００２】
【従来の技術】
本発明に該当する燻煙（スモーク）／薫煙・喫煙嗜好品は市販されていない。
【０００３】
【発明が解決しようとする課題】
すなわち、従来の喫煙嗜好品に見られるニコチンの有害性、嫌煙性を排除した燻煙（スモーク）／薫煙・喫煙嗜好品とする。
本発明は以下の手段により、この課題を解決しようとするものであって、ニコチン成分を含まない、健康を阻害しない、本来的に香気／香味・喫味を嗜み楽しみうる燻煙（スモーク）／薫煙・喫煙嗜好品を提供しようとすることにある。
【０００４】
【発明が解決しようとする手段】
請求項１に示すように、各種の花弁の一種類以上を主原料とすることを基本とする。その基本的な主原料として、例えば、バラ、菊、チューリップ、スミレ、アジサイ、ひまわり等の花弁の一種類以上を適宜加工処理して用いる。
【０００５】
これに加香、加味材としてのハーブ・芳香植物等の一種類以上を混合・添加することを基本とし、それに砂糖、ポリオール、ココア、リコリス等の加香、加味材の一つ以上を添加混合して香気／香味テイストおよび喫味テイストを調合付加するシガレット形状の燻煙（スモーク）／薫煙・喫煙嗜好品である。
【０００６】
【作用】
これらの燻煙（スモーク）／薫煙・喫煙嗜好品を提供することにより、つぎの作用を得る。すなわち、本発明の燻煙（スモーク）／薫煙・喫煙嗜好品によって、種々のアロマ効果の現出を期すことが可能となる。
【０００７】
本発明の燻煙（スモーク）／薫煙・喫煙嗜好品を嗜好する人にとっては、健康阻害の心配をすることなく、ストレス解消、リラクセーション等の快い安らぎの効果を得ることができる。
【０００８】
また、周りの非喫煙の人に対しては、本発明の燻煙（スモーク）／薫煙・喫煙嗜好品の副流煙にアロマテラピー的効果をも期待できる。
【０００９】
【実施例】
本来的に芳香を有する各種の花弁一種類以上を主原料として基本的に使用し、これに加香、加味材としてのハーブ・芳香植物等の一種類以上を混合・添加してなる該喫煙嗜好品に、砂糖、ポリオール、ココア、リコリス等の加香、加味材の一つ以上を添加混合して香気／香味テイストおよび喫味テイストを調合付加するシガレット形状の燻煙（スモーク）／薫煙・喫煙嗜好品についての実施は、現在、多くのものを実施検証中である。以下に、その一部の実施例を示す。
【００１０】
表１の番号１に示す実施例においては、バラの花を主原料にし、これに主たる加香・香味材としてバラの葉、ローズウッドおよびクラリセージを添加混合したものである。
【００１１】
表１の番号２に示す実施例においては、菊の花を主原料にし、これに主たる加香・香味材として菊の葉、ラベンダーおよびペパーミントを添加混合したものである。
【００１２】
表１の番号３に示す実施例においては、チューリップの花を主原料にし、これに主たる加香・香味材として竹の葉、ローズマリーおよびイランイランを添加混合したものである。
【００１３】
現在、多くのものを実施検証中であるが、以上の工程に準じ実施した、表１に示す３種類の燻煙（スモーク）／薫煙・喫煙嗜好品の香味テイストおよび喫味テイストについての評価を表２に示す。いずれの実施例についても、本来的に花弁がもつ香しい、気品の高い、ニコチン非含有の、燻煙（スモーク）／薫煙・喫煙嗜好品喫煙嗜好品に仕上がっている。
【発明の効果】
【００１４】
以上の実施例での説明から判るとおり、健康を気遣うことのない、呼吸器系に優しい、香喫味が良い、燻煙（スモーク）／薫煙・喫煙嗜好品喫煙嗜好品に仕上げることができるため、本品を喫煙嗜好する人にとってはストレス等の解消、リラクセーション効果をもたらし、周りの非喫煙の人に対してもその副流煙（燻煙／薫煙）のアロマ効果の現出を期待することが叶う。
表１　　　　実　施　の　一　例
2004057017.tif 000002
（注）：　混合割合（重量％）については、二次的の加
香、加味材の添加混合を含め　――　詳細割愛。
表２　　　　該燻煙（スモーク）／薫煙・喫煙品の香・喫味の評価
2004057017.tif 000003
（注）：　供試の重量　――　約１グラム重／シガレット形状一本分。
気相成分　――　目下、調査中。
評価者　――　１２人。
(57)【要約】【課題】コンブ等の海草の繁茂を促すようにする。【解決手段】粗骨材を用いて透水性を付与せしめ、表面にを錐形部分２又は截頭錐形部分を有するコンクリート製ブロック１の表面に、突起体３を形成した。【選択図】　　　　図１
2004057046.tif 000002
【特許請求の範囲】
【請求項１】
粗骨材を用いて透水性を付与せしめ、表面にを錐形部分又は截頭錐形部分を有するコンクリート製ブロックの表面に、突起体を形成したことを特徴とする海中緑化用コンクリート製ブロック。
【請求項２】
コンクリート製ブロックの表面に、珪藻土を付着せしめた請求項１記載の海中緑化用コンクリート製ブロック。
【発明の詳細な説明】
【０００１】
【発明の属する技術分野】
この発明は、コンブ等の海草の繁茂を促すようにした海中緑化用コンクリート製ブロックに関するものである。
【０００２】
【従来の技術】
これまでもコンブ等の海草を繁茂を促すことを目的としたコンクリート製ブロックは存在しがたが、一般的には透水性コンクリートと普通コンンクリートの二層に形成されていた。
【０００３】
【発明が解決しようとする課題】
前記従来のブロックは大型のものでありかつ重量も大であったため取り扱いが決して容易ではないのみならず、十分な圧縮強度を実現することができず、比較的脆性であった。そして従来の前記ブロックに種子や肥料を練り込むとなれば、なおいっそう圧縮強度の低下を招く結果になっていたのである。
【０００４】
【課題を解決するための手段】
そこでこの発明に係る海中緑化用コンクリート製ブロック（請求項１）は前記の課題を解決するために、粗骨材を用いて透水性を付与せしめ、表面にを錐形部分又は截頭錐形部分を有するコンクリート製ブロックの表面に、突起体を形成したものである。
【０００５】
またこの発明に係る海中緑化用コンクリート製ブロック（請求項２）は前記の課題を解決するために、前記コンクリート製ブロックの表面に、珪藻土を付着せしめたものである。
【０００６】
【発明の実施の形態】
次にこの発明に係る海中緑化用コンクリート製ブロックの実施の形態を図面に基づいて述べると、１は粗骨材（粒径１５ｍｍ程度）を用いて透水性を付与せしめたコンクリート製のブロック本体であり、このブロック本体１は、例えばこれを正面視で方形をなしている場合は、一辺が２０〜５０ｃｍ程度の小型のものであり、また例えば正面視で円形のものである場合は、その直径が、前記と同様２０〜５０ｃｍ程度の小型に形成してある。
【０００７】
２は前記ブロック本体１の表面に形成した角錐形又は円錐形等の錐形部分又は截頭錐形部分であり、３は、前記ブロック本体１の表面に形成した複数の突起体である。
【０００８】
以上のように形成したブロック本体１は、高さを約１５ｃｍ程度に形成してあり、重量は１２〜２５ｋｇ程度である。したがってきわめて軽量である。
【０００９】
このように形成されたブロック本体１は、すでに設置されている大型の消波ブロックや沈礁ブロックに張り付けて使用するのである。
【００１０】
このようにして使用すると、海中に存在するコンブ等の海草の胞子が自然的に付着することになるが、この発明に係るブロック本体１の表面に小さい孔が無数に形成されることになるため、より多くの胞子が付着することになる。また前記ブロック本体１の表面に珪藻土を表面に吹き付けて前記胞子の付着を促すことも可能であり、珪藻土の吹き付けを二層にし、その間に肥料を介在させることによって、その成長の促進を図ることができるのである。そしてこの肥料成分はやがて溶出することになる。
【００１１】
【発明の効果】
前記のようにこの発明に係る海中緑化用コンクリート製ブロックによれば、粗骨材を用いて透水性を付与せしめ、表面にを錐形部分又は截頭錐形部分を有するコンクリート製ブロックの表面に、突起体を形成し、又は前記コンクリート製ブロックの表面に、珪藻土を付着せしめてあるので、ブロック本体を小型化し、かつ軽量に形成することができるので、その結果、取り扱いが容易になるとともに、ブロック本体に圧縮強度が付与され耐久性を高め、かつブロック本体の表面に形成した突起体によって海草の胞子の付着率、把握率が高まる等、種々の効果を有するのである。
【図面の簡単な説明】
【図１】この考案に係る海中緑化用コンクリート製ブロックの一実施例を示す斜視図である。
【図２】図１のＡ−Ａ線断面図である。
【符号の説明】
１　ブロック本体
２　錐形部分
３　突起体
【図１】
2004057046.tif 000003
【図２】
2004057046.tif 000004
(57)【要約】【課題】本発明は、ペットの散歩に於いてペット及びペットの飼い主は草むらに近づくことが多く蚊の吸血攻撃を受けることが多いので、散歩の途中及び糞処理中のペット及びペットの飼い主の身体を蚊の吸血行動から守ることができる、糞処理具に関するものである。【解決手段】糞処理具の取手部に超音波式の蚊撃退器及び電源部を内蔵しておき、ペットの散歩中は蚊撃退器のスイッチを入れておくことにより、散歩の途中及び糞処理中のペット及びペットの飼い主の身体を蚊の吸血行動から守る。【選択図】　　　　　　　　　　図１
2004057077.tif 000002
【特許請求の範囲】
【請求項１】
糞処理具の取手部に、超音波式の蚊撃退器及び電源部を内蔵したペットの糞処理具。
【発明の詳細な説明】
【０００１】
【発明の属する技術分野】
本発明は、ペット及び飼い主の周囲から蚊を撃退させながらペットの糞処理が可能な、ペットの糞処理具に関するものである。
【０００２】
【従来の技術】
ペットの散歩途中、糞を処理している間は草むらに近い場所に居ることが多く蚊の吸血行動にねらわれ易く、不快な思いをすることが多かった。従来のペットの糞処理具には、蚊の撃退器を内蔵したものはなく、ペットの散歩中蚊を予防するには蚊取り器を別途持参するしかなく、糞処理具を始め持参する道具があれこれ増え、ペットの散歩に出掛ける時点で持参を忘れたりして不便な思いをすることがたびたびあった。
【０００３】
【発明が解決しようとする課題】
従来のペットの散歩に於いては次のような要望、不満が有った。
１．ペットの散歩途中の糞処理中、草むらから出てくる蚊の吸血行動からペット及び飼い主自身の身を守りたい。
２．蚊から身を守るためには、蚊取り器を別途持参していく必要が有り、又ペットの散歩には糞処理具も持たねばならず、持ち物が増えて不快だった。
３．持ち物が増えると、時には忘れたりして不便であった。
本発明は、こうしたペット愛好家の強い要望、不満にこたえるためになされたのである。
【０００４】
【課題を解決するための手段】
その構成を説明すると、糞処理具の取手部の一部に超音波式蚊撃退器及びその電源部を内臓する。
【０００５】
【発明の実施の形態】
糞処理具の取手部に内臓された蚊撃退器のスイッチを入れ、ペットの散歩に出掛ける。その時、飼い主はペットの糞処理具の取手部を手に持っていることが多く、飼い主の身体及びペットの近傍にて蚊の嫌がる超音波を発生させることが出来る。
【０００６】
【発明の効果】
本発明を使用し、取手の一部に内臓の蚊撃退器のスイッチを入れ散歩に出掛けると、ペット及び飼い主の周囲には蚊の嫌がる超音波により蚊が近寄らず、散歩中及びペットの糞処理中も蚊の吸血行動から身を守ることが出来る。
【図面の簡単な説明】
【図１】本発明の組立断面図
【符号の説明】
１　糞処理具本体
２　取手
３　蚊撃退器
４　電源部
【図１】
2004057077.tif 000003
(57)【要約】【課題】愛玩用犬猫の歩行にともなう肩と腰と後足の動きに応じて前脇下より体全体を密着させるとともに四肢の歩行に支障を与えないようにしようとする。【解決手段】犬の首元から胸部を通して下腹部全体を覆う前身ごろと首周りの曲面に合わせて弧状縁とした前縁と背部に開閉口を設ける事により後足を包み込むように後足を挿入する事ができ尾の付け根から性器にかけて開口を設ける事で汚物による汚損の心配もなく歩行する際のスムーズな動きを可能とした。【選択図】　　　図１
2004057072.tif 000002
【特許請求の範囲】
【請求項１】
首から前足脇部は必要に応じて腹部より胸部の長さの調整を可能とし首廻りについても弧状縁とする事で曲面に応じた形状となり犬猫の前足脇部から胴部、腰部にかけての部分を筒状としたものに後足部を組み合わせ尾の付け根から性器にかけて楕円状の開口を設け後足部を包み通して設けた犬猫用衣服。
【請求項２】
胸部、腹部、腰部、後足部に伸縮性素材を用いた請求項１の犬猫用衣服。
【請求項３】
後足下端は関節部の位置で上にめくり上がらず締めつけず体格により異なる開口の請求項１の犬猫用衣服。
【請求項４】
胴部、腰部、後足部を組み合わせた切り替えのある請求項１の犬猫用衣服。
【発明の詳細な説明】
【０００１】
【発明が属する技術分野】
本発明は愛玩用犬猫（以下、犬という。）に着用させる犬猫用衣服に関する。
【０００２】
【従来の技術】
首から下の手術、傷、等の損傷部や患部に直接触れさせたくないか所がある場合に用いているコルセット状のカラーがある。
【０００３】
【発明が解決しようとする課題】
本発明は上記欠点、これは犬種により困難な場合があり顔全体をラッパ形の筒で覆うようにしているが、耳の長いもの首の太いもの短いものには配慮するところがないので生活の中で対策に欠けるところが多々あったことと損傷部や患部に直接触れることが出来るという対策に欠けるところがあった欠点を解消するために犬の生活にともなう体の動きになじんで前足脇部から体全体に衣服を密着させるとともに四肢の歩行に支障を与えず犬自身では脱ぐ事が出来ず首から下の手術、傷、等の損傷部や患部に直接触れる事の無いように保護しようとするものである。
【０００４】
【課題を解決するための手段】
本発明は首から前足脇部は必要に応じて腹部より胸部の長さの調節を可能とし首廻りについても弧状縁とすることで曲面に応じた形状となり犬猫の前足脇部から胴部、腰部にかけての部分を筒状としたものに後足部を組み合わせ尾の付け根から性器にかけて楕円状の開口を設けた為、汚物による汚損の心配もないようになっているとともに後足部を包み通して設けた犬猫用衣服である。又、胸部、腹部、後足部に伸縮性素材を用いている。又、後足下端は関節部の位置で上にめくりあがらず締めつけず体格により異なる開口を適宜選択し設けてあるとともに胴部，腰部、後足部を組み合わせ切り替えたものからなっている。
【０００５】
【発明の実施の形態】
犬の体格すなわち胴長、胴幅、座高や体毛等の相違により本発明の衣服の大きさは当然に適宜選択される。服吊り部の接着片及び背合わせ部分は接合テープ、紐など適宜選択される。服吊り部分と背部は伸縮性の無い素材を採用し胸部、腹部、腰部、後足部には伸縮性素材のものが採用される。
【０００６】
【実施例】
実施例を図を引用して説明すると、図１は犬に着用した側面図で前身ごろ１に後足部２を接続し後足部２に後足部を挿入させる。前身ごろ１と後足部２は筒状に形成される事により密着度が増し後足部２は体格により長さ、開口の広さも変わる。
【０００７】
本実施例では結着具として接着片及び締めよう帯は接合テープ、紐など適宜選択される。
【０００８】
図２で説明すると本発明１の衣服を装着した際にダーツ６を入れる事により密着度が増すが体格により入れない場合もある。又，補強材８を２本用いる事により首の締めつけが減少する。
【０００９】
図３で説明すると背部５に伸縮性の無い素材を腰部７に縫い合わせ背部開閉口９を用いて接着片及び締め用帯は接合テープ、紐など適宜選択される。
【００１０】
図４で説明すると本発明１の衣服を装着した際、楕円状の後開口４が、犬猫の排泄物による汚損を防止する。
【発明の効果】
本発明の衣服は愛玩用犬猫の運動に支障を与えず排泄物による汚損の心配がないとともに手術後、傷、等の損傷部や患部に直接触れない為、保護することが出来、又、歩行時による下腹部に跳ね返り汚れ等が直接体につかず自分自身では脱衣が出来ない効果がある。
【図面の簡単な説明】
【図１】本発明を犬に衣服を着用させた側面図である。
【図２】図１から犬を除き腹部より見た図である。
【図３】図１から犬を除き背部より見た図である。
【図４】本発明を犬に着用させた後部から見た図である。
【符号の説明】
１　前身ごろ
２　後足部
３　前紐肩吊り
４　後開口
５　背部
６　ダーツ
７　腰部
８　補強材
９　背部開閉口
【図１】
2004057072.tif 000003
【図２】
2004057072.tif 000004
【図３】
2004057072.tif 000005
【図４】
2004057072.tif 000006
(57)【要約】【課題】香りの良い梅酒を製造する方法の提供。【解決手段】青梅を収穫後４〜６日間保存熟成させた後、焼酎またはブランデー等のエタノール含有水溶液に漬込むことにより、ベンズアルデヒド、ラクトン類、エステル類等の香気成分に富んだ梅酒を得ることができる。【選択図】　なし【特許請求の範囲】
【請求項１】
青梅を収穫後４〜６日間保存熟成させた後、焼酎またはブランデーに漬込むことを特徴とする梅酒の製造方法。
【発明の詳細な説明】
【０００１】
【発明の属する技術分野】
本発明は梅酒の製造方法に関し、特に香りのよい梅酒を製造する方法に関する。
【０００２】
【従来の技術】
梅酒の製造方法としては、一般に、焼酎またはブランデーに未熟の梅の実（青梅）を砂糖（特に氷砂糖）とともに漬込み、半年〜数年間ほど熟成することにより梅の実中の成分を焼酎またはブランデー中に浸出させた後、梅の実を分離する方法が採られている。梅の実の量、砂糖の量、漬込みの期間、梅の実を分離する時期等、いろいろな方法が試みられている。
【０００３】
さらに青梅でなく、木に生った状態でほぼ完熟した梅の実　（以下、完熟梅と略称することがある）を用いて梅酒を製造することも行われており、青梅で漬込んだ梅酒と比べ、青臭さやえぐ味が緩和された香りのよい梅酒が得られることが知られている。
【０００４】
【発明が解決しようとする課題】
本発明は、さらに香味のバランスに優れ豊かな芳香に富む梅酒の製造方法を提供するものである。
【０００５】
【課題を解決するための手段】
上記目的を達成するため、本発明者らは梅酒の主要原料である梅の実に着目し、研究と実験を重ねた結果、木から収穫した青梅を一定期間保管し熟成させた状態の梅の実（以下、追熟梅と略称することがある）を用いて製造することにより、芳香成分が極めて多く、しかも旨み成分も比較的多い、優れた品質の梅酒を製造することができることを見出し、本発明を完成した。すなわち、本発明は、青梅を収穫後４〜５日間保存熟成させて得た追熟梅を焼酎またはブランデー等のエタノール含有水溶液に漬込むことを特徴とする梅酒の製造方法を提供するものである。
【０００６】
本発明の方法において使用する追熟梅とは、青梅を木から収穫後、室温（１５〜２５℃）で４〜６日間保管熟成させたものであり、色覚的には、梅の実の表面が７０％以上黄変したものである。また使用できる梅の品種は特に制限がなく、南高、長束、藤五郎、白加賀、外国産等いずれでもよい。適当な保管熟成の期間は、梅の実のサイズによって若干異なり、３〜４Ｌサイズで約４日、２Ｌサイズで４〜５日、Ｌ〜Ｍサイズで約５〜６日で最適熟度に達する。またその際には、密閉条件下よりも開放系で適度に空気に触れさせる方がより良好に追熟できる。この状態での梅の実の香りは、全体的にプラムや白桃を思わせる甘酸っぱいフルーティーな香りと、青梅の青臭い香りを併せもつ、芳香豊かなものである。
【０００７】
本発明の梅酒の製造方法は、使用する梅の状態を除けば、基本的に常法に準ずるが、具体的には以下のようにして製造することができる。すなわち、前記のように保管熟成させて得た追熟梅を水で洗浄後水分をふき取るか、あるいは洗浄せずその表面を予め拭き清めるかした後、その追熟梅１重量部に対し、２０〜６０％（Ｖ／Ｖ）エタノール含有水溶液（例えば、焼酎またはブランデー等）を１〜２重量部、さらに糖類（氷砂糖、砂糖、果糖、異性化糖等）を０．５〜１重量部加えて、３ヶ月〜１年漬け込み熟成させる。その後、梅を分離除去することにより梅酒が完成される。
【０００８】
一般に青梅を用いてつくった梅酒は、木に生った状態で完熟した梅の実（以下、完熟梅と略称することがある）　を用いてつくった梅酒に比べ、主要香気成分であるベンズアルデヒドの量が多くなるが、フルーティーさを示す香気成分であるラクトン類やエステル類の量は逆に少なくなる傾向がある。しかし、青梅を保管熟成して得た追熟梅を用いる本発明の製造法によりつくられた梅酒中には、意外にも青梅を用いた梅酒よりも多量のベンズアルデヒドが含まれ、さらにはフルーティーさを示すラクトン類やエステル類の量も完熟梅を用いてつくった梅酒よりも多く含まれていることが判明した。
【０００９】
また旨み成分であるアスパラギンは、完熟梅を用いてつくった梅酒では青梅によるものに比べ、著しく濃度が低下するが、追熟梅を用いた本発明の製造法によりつくられたものは完熟梅ほどアスパラギンの濃度が低下せず、多数のパネラーによる官能評価においても香味のバランスがとれた非常に高品質の梅酒と評価された。
【００１０】
【実施例】
以下、実施例を挙げて、本発明をより具体的に説明するが、これらは本発明の範囲を限定するものではない。
【００１１】
実施例１
青梅、完熟梅、追熟梅（いずれも品種は南高、和歌山県南部産のもの、３Ｌサイズ）を用いて以下の条件でガラス瓶に漬込み、２０℃に維持された室内で６ヶ月熟成させ梅酒を製造した。なお、ここで使用した追熟梅は、青梅を収穫後、２０℃で５日間保管熟成させ、実の表面が全体的に黄緑色になったものである。
（漬込み条件）
３５％（Ｖ／Ｖ）エタノール含有水溶液（３５％焼酎）　　　　１．８Ｌ
砂糖　　　　　　　　　　　　　　　　　　　　　　　０．５ｋｇ
梅の実　　　　　　　　　　　　　　　　　　　　　　１．０ｋｇ
【００１２】
実施例２
実施例１で製造した各梅酒について、後述する方法で香気成分（アルデヒド類、ラクトン類、エステル類）とアスパラギンの分析を行った。結果を表１に示す。表１に示したように、追熟梅による梅酒は、主要香気成分であるベンズアルデヒドの含有量が青梅を用いた梅酒に比べ、約１．６倍に増加しており、完熟梅による梅酒の約３倍となった。またフルーティーさを示すラクトン類やエステル類の含有量は、完熟梅による梅酒と同等以上であり、青梅による梅酒に比べると２〜５倍に増加していた。
【００１３】
【表１】
2004057036.tif 000002
【００１４】
（香気成分の分析法）
試料である梅酒１５０ｇに対してジエチルエーテル５０ｍｌで２回抽出し、さらにジクロロメタン５０ｍｌで１回抽出した。得られた有機溶媒相を併せ、一次抽出液とした。これを無水硫酸ナトリウムで脱水し、さらに　クーデルナタニッシュ濃縮（以下、ｋｄ濃縮と略称することがある）を行い、約１００倍に濃縮した。これを飽和食塩水３０ｍｌで洗浄した後、ジエチルエーテル：ペンタン混液（１：２）２０ｍｌおよびジエチルエーテル：ペンタン混液（１：１）１０ｍｌで２回抽出した。得られた有機溶媒相を併せ、一次抽出液とし、さらに無水硫酸ナトリウムで脱水し、次いでｋｄ濃縮を行い、香気成分を濃縮した。この試料を用い、ガスクロマトグラフィー分析（ＧＣ分析）を行った。
【００１５】
（アスパラギン測定法）
島津高速液体クロマトグラムＬＣ−６Ａアミノ酸分析システムを用いて測定した。
(57)【要約】【目的】シートの着座面における外周に、トリムカバーの身頃部とまち部との接ぎ合わせ部分に起因するトリムカバーの蛇行、凹凸等の発生を防止することである。【構成】トリムカバー２０、２１によって被覆される発泡体製パッド１の上面外周囲に沿って、外方に突出する突出部１０を設けると共にこの突出部１０の下に、トリムカバーの身頃部２０とまち部２１とを接ぎ合わせた縫い代収納用の収納凹部１１を設けたことを特徴とする。【選択図】　　　　図２
2004057333.tif 000002
【特許請求の範囲】
【請求項１】
身頃部とまち部とを接ぎ合わせてなるトリムカバーと、このトリムカバーに被覆される発泡体製パッドとを有する車両用シートにおいて、
前記パッドの上面外周囲に沿って、外方に突出する突出部を設け、前記パッドの側面における突出部側に、前記身頃部とまち部とを接ぎ合わせた縫い代収納用の収納凹部を設けてなる車両用シートの構造。
【発明の詳細な説明】
【０００１】
【発明の属する技術分野】
本発明は、自動車用シートなどの車両用シートの構造に関する。
【０００２】
【従来の技術】
従来の自動車用シート、例えばシートクッションは図４に示すようにモールド加工した発泡体製パッド１′にトリムカバー２０を接着して形成したものがある。
【０００３】
以上のトリムカバーは、シートクッションの着座面を形成する身頃部２０と、シートクッションの外側面を形成するまち部２１とを縫糸２２で接ぎ合わせ、その縫い代２０Ａ、２１Ａをパッド１′の上面イと側面ロとの境界であるパッド１′の上面イ外周囲に設けた収容凹部１１′内に収容して、縫い代２０Ａ、２１Ａによって、縫い代２０Ａ、２１Ａの外側部分が外方に突出することがないようにしている。
【０００４】
【発明が解決しようとする課題】
しかし、前記収容凹部１１′は、パッド１′の上面イ外周囲が曲線状に形成されているため、全体が曲線になる。また、縫い代２０Ａ、２１Ａが各々別体であるため、収容凹部１１′内において全体が一定の方向に向けて収容できない。
【０００５】
そのため、トリムカバー２０、２１の縫い代２０Ａ、２１Ａに対応する部分が蛇行したり、凹凸状になる。従って、シートクッションの着座面の外形形状を所期の設定したものに形成できない不具合があった。
【０００６】
そこで、本発明は斯様な従来品の不具合を解消することを目的とする。
【０００７】
【課題を解決するための手段】
以上の目的を達成するための本発明に係る車両用シートは、前記パッドの上面外周囲に沿って、外方に突出する突出部を設け、前記パッドの側面における突出部側に、前記身頃部とまち部とを接ぎ合わせた縫い代収納用収納凹部を設けてなることを特徴とする。
【０００８】
以上の構成により、パッドの上面における外周囲に設けた突出部に沿ってトリムカバーの身頃部は被覆され、身頃部とまち部との接ぎ合わせ個所はパッドの側面に設けた収納凹部内に収容されるため、シートの外周形状が常に一定になる。
【０００９】
【発明の実施の形態】
以下、本発明の実施の一形態を図１乃至図３に基づいて説明する。
図１は本発明に係る車両用シートである自動車用シートを示し、図中ＳＣはシートクッション、ＳＢはシートバックを各々示す。
【００１０】
以上のシートクッションＳＣ及びシートバックの着座面Ａ、Ａ′はトリムカバーの身頃部２０、外側面Ｂ、Ｂ′はまち部２１で各々形成されている。
身頃部２０はその大きさが従来の身頃部に対してやや大きく形成して周縁部２０′を延設形成しし、この周縁部２０′が図１、図２に示すようにシートクッションＳＣの外側面上部を形成している。
【００１１】
トリムカバーの身頃部２０における周縁部２０′と前記まち部２１は、前記従来品と同様に縫糸２２で一体に接ぎ合わされており、その縫い代２０Ａ、２１Ａがパッド１の側面ロに設けた収容凹部１１内に収容されている。
【００１２】
パッド１はその上面イの外周囲に、側面ロ方向に突出する突出部１０が、前記収容凹部１１と共に一体にパッド発泡成形時に成形されている。
【００１３】
従って、突出部１０は図２に示すように前記身頃部２０の周縁部２０′によって被覆され、収容凹部１１は突出部１０に対して上下方向に連続して成形されている。
【００１４】
なお、トリムカバーの身頃部２０及び周縁部２０′はパッド１に接着剤で接着される。
【００１５】
【発明の効果】
本発明によれば、パッド１の上面イにおける外周囲に突出部を設け、トリムカバーの身頃部とまち部との接ぎ合わせ個所を収納する収納凹部をその下に設けているため、パッドの突出部の外形形状に沿ってトリムカバーの身頃部を被覆することができる。
【００１６】
従って、前記従来品の如く、トリムカバーの身頃部とまち部との接ぎ合わせ個所の外面が蛇行したりすることがない。そのため、シートの着座面の外周形状が常に一定で、外観品質に優れたシートを提供できる。
【図面の簡単な説明】
【図１】本発明に係るシートの部分切欠斜視図である。
【図２】図１のＩＩーＩＩ線断面図である。
【図３】本発明に使用するパッドの部分拡大断面図である。
【図４】従来のシートの分解部分断面図である。
【符号の説明】
ＳＣ　　　シートクッション
Ａ　　　着座面
Ｂ　　　外側面
１　　　パッド
１０　　　パッドの突出部
１１　　　パッドの収納凹部
２０　　　トリムカバーの身頃部
２１　　　トリムカバーのまち部
イ　　　パッドの上面
ロ　　　パッドの側面
【図１】
2004057333.tif 000003
【図２】
2004057333.tif 000004
【図３】
2004057333.tif 000005
【図４】
2004057333.tif 000006
(57)【要約】　　　（修正有）【課題】本立て等の仕切り板を、簡単な構造で、強固に、しかも左右にスライド可能に取り付ける装置を提供する。【解決手段】本立ての上背板１３に設けた切り欠部１３２の位置で、スライド板５の下端面を下背板１３の摺動溝１３１に傾けた状態で嵌合した後、立ち上げて上端面を切り欠部１３２から上背板１３の摺動溝１３１に位置せしめ、左右方向にスライドして、上下の摺動溝１３１、１３１間にスライド板５、５、５を順次嵌合し、さらに仕切り板本体にスライド板５を連結孔５１を挿通したネジで固定する。【選択図】　　図２
2004057316.tif 000002
【特許請求の範囲】
【請求項１】
本立ての左右側板後端部間に上下に所定間隔を有して配設された上下背板の対向する上下端面に形成された摺動溝に、スライド板の上下端部を嵌合して左右にスライド自在となし、スライド板の前面に、スライド板より上下方向に大きい仕切り板本体を着脱自在に連結した本立てにおける仕切り板取付け装置において、上側の摺動溝の一部が後面側に開口する切り欠き部を上背板に形成し、スライド板を切り欠き部より、摺動溝間に装着可能あるいは取り出し可能としたことを特徴とする本立てにおける仕切り板取付け装置。
【発明の詳細な説明】
【０００１】
【発明の属する技術分野】本発明は、本立て等に設けられる仕切り板の取付け装置に関するものである。
【０００２】
【従来の技術】従来、本立てに取付けられる仕切り板は、本立てが構成された後に、本立てに前方から着脱自在に取付けられるのが一般的であった。
このため、書籍等の出し入れが前方から行われると、仕切り板が不測に外れる事があった。
【０００３】
【本発明が解決しようとする課題】
本発明は、上記問題点を解決する事を課題とし、簡単な構造で仕切り板が強固に取付けられ、さらに、左右にスライド可能な仕切り板の取付け装置を提供する事を課題とする。
【０００４】
【課題を解決するための手段】
そこで、上記課題を解決する為、本発明の手段として構成したところは、本立ての左右側板後端部間に上下に所定間隔を有して配設された上下背板の対向する上下端面に形成された摺動溝に、スライド板の上下端部を嵌合して左右にスライド自在となし、スライド板の前面に、スライド板より上下方向に大きい仕切り板本体を着脱自在に連結した本立てにおける仕切り板取付け装置において、上側の摺動溝の一部が後面側に開口する切り欠き部を上背板に形成し、スライド板を切り欠き部より、摺動溝間に装着可能あるいは取り出し可能としたものである。
【０００５】
【実施例】
以下実施例を図面に基づいて説明する。
図１において、符号１は本立てを示し、
本立て１は、左右に所定間隔を有して立設された左右側板１１、１１と、左右側板１１、１１の後端間に、上下に所定間隔を有して配設された上下背板１３、１３と、左右側板１１、１１の下端部間に配設された棚板１４と、上下背板１３、１３と棚板１４間に渡って設けられた仕切り板２・・・より構成されている。
【０００６】
上下背板１３、１３は対向する上下端面に、略半円形の凹溝とした摺動溝１３１、１３１が形成されている。
そして、上背板１３の左右方向の端部側（実施例では正面側からみて左側端部）後面には、摺動溝１３１の頂部１３０が臨み、左右方向に所定幅の切り欠部１３２が形成されている。
【０００７】
仕切り板２は、スライド板５と仕切り板本体６より構成されており、スライド板５は上下高さが前記上下背板１３、１３の摺動溝１３１、１３１間に密に嵌合し、左右にスライド可能な大きさで、上下端面が摺動溝１３１に対応する略円形に形成され、、左右幅は前記上背板１３の切り欠部１３２の左右幅に対応する大きさに形成されている。
そして、左右方向略中央上部に、仕切り板本体６を連結ネジ６１で連結するための連結孔５１が形成され、左右方向略中央下部前面に仕切り板本体６の後面に形成されたダボ６２の嵌合孔５２が形成されている。
【０００８】
スライド板５は上記の如く形成され、次ぎのようにして上下背板１３、１３間に取付けられる。
切り欠部１３２の位置で、スライド板５の下端面を下背板１３の摺動溝１３１に傾けた状態で嵌合した後、立ち上げて上端面を切り欠部１３２から上背板１３の摺動溝１３１内に位置せしめ、図４で左方向にスライドして、上下の摺動溝１３１、１３１間にスライド板５、５、５を順次嵌合する。
そして　上下背板１３、１３に取付けられたスライド板５の前面に仕切り板本体６を、ダボ６２、連結ネジ６２で連結することで、スライド板５は切り欠き部１３２の個所に位置しても摺動溝１３１から外れることなく、仕切り板本体６もスライド板５に強固に連結される。
【０００９】
仕切り板本体６は、下端面がスライド板５の下方にやや突出し、上端面がスライド板５の所定寸法上方に突出する大きさで、スライド板５が連結される個所に後端面がやや後方に突出する連結突部６３が形成され、連結突部６３の後端面から前方に、前記スライド板５の連結孔５１に対応して連結ネジ６１が挿通する挿通孔６４が形成され、挿通孔６４の所定位置に側方より連結ナット６５が埋め込まれている。
又、連結突部６３の後端面に、前記スライド板５の嵌合孔５２に対応してダボ６２が後方に突出している。
【００１０】
そして、連結ネジ６１、ダボ６２を介して、スライド板５の前面に仕切り板本体６が取付けられた状態で、連結突部６３を除く仕切り板本体６の下側の後端面と、下背板１３の前面間に仕切り板本体６がスライド板５と共にスライド可能なよう所定の間隙６０が形成される。
符号２００は、棚板１４上面との接触状態を緩和するため、仕切り板本体６の下面に貼付けられた緩衝材を示している。
【００１１】
【発明の効果】
本発明は、上記の如く構成されているので、スライド板は仕切り板本体が連結されると、切り欠き部から後方に外れる恐れはなく、又、スライド板は摺動溝に嵌合しているので、書籍等の出し入れで、仕切り板本体も不測に本立てより外れる事はない。
【図面の簡単な説明】
【図１】本発明を具備した本立ての斜視図
【図２】スライド板の取付け状態を示す斜視図
【図３】仕切り板とスライド板が連結された状態の上部縦断面図
【図４】仕切り板とスライド板が連結された状態の下部縦断面図
【符号の説明】
１　　　　　本立て
１３　　　　背板
２　　　　　仕切り板
５　　　　　スライド板
６　　　　　仕切り板本体
【図１】
2004057316.tif 000003
【図２】
2004057316.tif 000004
【図３】
2004057316.tif 000005
【図４】
2004057316.tif 000006
(57)【要約】【課題】子供達がするサッカーに最適なサッカー用小型ゴールを提供する。組み立て、解体が容易で、２セットが１つのバッグに入り、人が普通に持ち運べるものである。【解決手段】枠体は全てプラスチックのパイプで出来ていて、軽量である。左支柱、右支柱、上部横管、奥への管、奥横管が全てプラスチックで出来、全枠体の管の中に１本の強いゴムが通してある。枠体は、ジョイント部材により接合されており、解体時は、ジョイント部材をはずし、組み立て時はジョイント部材を嵌めて行う。ゴムにより、解体時にバラけず、組み立て時も組み立ての助けとなる。又、ゴムが強く張られるので、ゴールがしっかり立つ。ゴムは１箇所で管内から外部に出て、ゴムの両端にあるフックを嵌め結合する。ゴムは全体で１本で、強度のあるものである。各枠体はカバーで巻かれ、カバーのひだが出て、そのひだにネットを装着する。【選択図】　図１
2004057312.tif 000002
【特許請求の範囲】
【請求項１】
左支柱、右支柱、上部横管、奥への管、奥横管が、全てプラスチックパイプで作られ、各支柱、各管と、該上部横管と該奥横管の中央部がジョイント部材で結合され、各管内に全体を通して、１本の強いゴムが通され、そのゴムの両端が１箇所で外に出て、その各々のフックにより係合され、そのフックをはずし、そのジョイント部材をはずすことにより、解体可能なサッカー用小型ゴール。
【請求項２】
解体後１つの大きなバッグに入り、人が携行可能な請求項１に記載のサッカー用小型ゴール。
【発明の詳細な説明】
【０００１】
【発明の属する技術分野】
本発明は、サッカー用小型ゴールに関する。
【０００２】
【従来の技術】
子供等が簡単に楽しめる、一般のものより小さい、サッカーのミニゴールがある。それらのサッカーのゴールは、金属製で重く、携帯できず、運搬や設置に多大の労力が要った。
【０００３】
【発明が解決しようとする課題】
本発明は、解体組み立てが簡単で、軽量で、大きなバッグに２つのゴールが入るもので、人が簡単に持ち運べるものである。又、全体に一本の強いゴムが入っているので、解体の時、全体がバラけず、又、組み立ての時も容易にゴムにより組み立てられるものである。
【０００４】
【課題を解決するための手段】
本発明は、左支柱、右支柱、上部横管、奥への管、奥横管が、全てプラスチックパイプで作られ、各支柱、各管と、該上部横管と該奥横管の中央部がジョイント部材で結合され、各管内に全体を通して、１本の強いゴムが通され、そのゴムの両端が１箇所で外に出て、その各々のフックにより係合され、そのフックをはずし、そのジョイント部材をはずすことにより、解体可能なサッカー用小型ゴール、及び、解体後１つの大きなバッグに入り、人が携行可能なサッカー用小型ゴールに関する。
【０００５】
【発明の実施の形態】
両脇に、管である左支柱１と、右支柱２が立っている。両支柱１，２にまたがる上部横管３があり、両支柱１，２の下部より、奥への管４，５が各々奥へ伸びている。奥への管４，５の先端に奥横管６が渡される。
左支柱１、右支柱２、上部横管３、奥への管４，５、奥横管６はプラスチック製のパイプで出来ている。
左支柱１と、上部横管３の間は、直角形のジョイント部材７で結ばれ、右支柱２と、上部横管３も又同じように直角形のジョイント部材８で結合されている。
両支柱１，２と、奥への管４，５も各々直角形のジョイント部材９，１０で結合される。
奥への管４，５と奥横管６も各々直角形のジョイント部材１１，１２で結合される。
又、上部横管３と、奥横管６は長いので、中央で結合解体の出来る、直線形のジョイント部材１３，１４が、両端の中間部に設けられている。
【０００６】
又、両支柱１，２と、上部横管３、奥への管４，５、奥横管６は各々プラスチック製のカバー１５が巻かれ、ひだ１６が各々出ている。そのひだ１６にネット１７を装着する。
【０００７】
１本のゴム１８が全体の管に通り、そのゴム１８の両端が奥横管６で孔１９，２０により外へ出て、１本のゴムの両端のフック２１，２２により、両端は結合される。解体の時はフック２１，２２をはずす。
解体は、ゴムのフック２１，２２をはずし、各々のジョイント部材をはずして行う。それにより、ゲームに要る２つのゴールが、大きなバッグ２３の中に入り、人が簡単に持ち運べる。
ゴムは１本であり、強いものである。
【０００８】
【発明の効果】
本発明のサッカーゴールは、枠の要素が全てプラスチックのパイプであり、軽量で、各ジョイント部材により、小さく解体でき、大きなバッグに２つ入って、人が持ち運びの出来るものであり、その効果は大きい。
又、内部に入っているゴムが、解体時に全体をバラけさせず、組み立ての時も、組み立て易いようになっている。
又、カバーに様々なものを印刷出来るのも特徴の一つである。
又、強いゴムが１本全体の管に通っているので、ゴールがしっかり立つ。
【図面の簡単な説明】
【図１】全体の斜視図である。
【図２】説明的な全体の斜視図である。
【図３】ジョイント部材を示す斜視図である。
【図４】ゴムの結合を示す平面図である。
【図５】解体後の全体の斜視図である。
【図６】解体後のゴールを入れたバッグを持つ人の斜視図である。
【符号の説明】
１　左支柱
２　右支柱
３　上部横管
４　奥への管
５　奥への管
６　奥横管
７　ジョイント部材
８　ジョイント部材
９　ジョイント部材
１０　ジョイント部材
１１　ジョイント部材
１２　ジョイント部材
１３　ジョイント部材
１４　ジョイント部材
１５　カバー
１６　ひだ
１７　ネット
１８　ゴム
１９　孔
２０　孔
２１　フック
２２　フック
２３　バッグ
【図１】
2004057312.tif 000003
【図２】
2004057312.tif 000004
【図３】
2004057312.tif 000005
【図４】
2004057312.tif 000006
【図５】
2004057312.tif 000007
【図６】
2004057312.tif 000008
(57)【要約】【課題】通常は備え付けてある便座カバーを水浸しにする事無く、ユニットバスを簡易バスルームに変え入浴する際の洗面場として入浴面積を広げ、体を洗浄するためトイレカバーへ着座でき、また必要な時は何時でも簡単に便器を簡易の椅子に変形できる便器用簡易椅子トイレカバーを提供する。【解決手段】便器用簡易椅子トイレカバーにおいて、剛性の高い素材で形成され、通常は便器の便座部及びトイレカバー部を覆うような形で取り付ける事により便座カバーを水浸しにする事無く、ユニットバスを簡易バスルームに変え入浴する際の洗面場として入浴面積を広げる効果を奏す便器用簡易椅子トイレカバー。【選択図】　　　図４
2004057749.tif 000002
【特許請求の範囲】
【請求項１】
ユニットバス形式での便器のトイレカバーの上部から別個体の剛性の高い素材で形成されたトイレカバーを取り付け、便器を簡易の椅子に変える事を特徴とする便器用簡易椅子トイレカバー。
【発明の詳細な説明】
【０００１】
【発明の属する技術分野】
この発明は、トイレカバーに関する。
【０００２】
【従来の技術】
従来のトイレカバーは、便座カバーを取り付けてある位置の上部に設けられており、主に消臭効果や布製の便座カバーを保護する為にトイレカバーを開閉しており、又トイレカバーのカバーはデザイン重視の布製のトイレカバーが多く存在している。
【０００３】
【発明が解決しようとする課題】
トイレカバーにはデザイン重視の布製のトイレカバーが多く近年ユニットバス形式が増加している中、浴槽と便器の間にはカーテンが存在するものの、布製の便座カバーを装備していると入浴中の水飛沫により便座カバーが水浸しになることが多々起こる。
【０００４】
また、ユニットバス形式での入浴において、浴槽にお湯を張った際は体を洗剤で洗う洗面場が存在しなく、室内面積が狭く、またトイレには布製の便座カバーを装備している事が多い為、浴槽内で体を洗う手段しかなく浴槽内のお湯を洗剤で汚してしまいきれいなお湯のままで浴槽のお湯に入浴するのは困難であり、洗剤の混じった浴槽で入浴するのが常識になっている。
【０００５】
本発明はおもにユニットバス形式の浴室内に設けられている便器に剛性の高い素材で形成された簡易椅子トイレカバーを設けることにより、便座を簡易の椅子に変え、ユニットバス形式の浴室での洗面場の椅子へ変形出来るようにし体の洗浄を行える簡易椅子トイレカバーを提供する。
【０００６】
【課題を解決するための手段】
前記目的を達成するための具体的手段として、本発明は次のような構成のトイレカバーを要旨とするものである、便器のトイレカバー部を覆い被せる構成の脱着可能な剛性の高い素材の簡易椅子トイレカバーを便器のトイレカバー部の上部から覆いかぶすような形で簡易椅子トイレカバーを装着することにより便器が簡易の椅子となる事を特徴とする。
【０００７】
また、簡易椅子トイレカバーは便座カバーを覆う事が可能な為、便器簡易椅子へ着座し、体を洗浄する際にも布製の便座カバーが水浸しになるという被害を抑えることができる。
【０００８】
【発明の実施の形態】
この発明の一実態形態を図１に示す。図１は、本発明による簡易椅子トイレカバーの実施形態を示すもので、簡易椅子トイレカバー本体１は便器を覆うような形で形成されており、ユニットバスでの入浴時等、必要に応じて便器を簡易椅子にしたい場合、便器の便座部及びトイレカバー部を覆うような形で取り付ける。この場合素材はある程度の加重に絶えうる為、合成の高い強度のある素材などで構成されているのが望ましい。
【０００９】
図２は簡易椅子トイレカバー本体１の裏面部であるが裏面部には簡易椅子トイレカバー本体１が通常のトイレカバーからずれないよう滑り止め２が設けられており、滑り止め２を便器のトイレカバー上部から覆う形で取り付けることにより入浴中の足場が不安定な状態でもしっかりと着座出来る構成になっており、又滑り止め２はゴム素材等、滑りにくい素材で構成されることが望ましい。
【００１０】
図４は簡易椅子トイレカバー本体１を便器に取り付け便器を簡易椅子に変形させ、ユニットバスルームを簡易のバスルームに変えた見取り図であるが、図４を見ても取れるように浴槽４へ湯を張った状態での体の洗浄は室内の面積上かなり無理があるが、便器を簡易の椅子に変える事により、通常の布製の便座カバーを水浸しにする事無く簡易椅子で体を洗浄することが可能になり、浴槽４の湯に洗剤が混ざる事無くきれいなままの湯に入浴できることが可能である。
【００１１】
【発明の効果】
本発明は、以上説明したように、便器を簡易椅子に変える簡易椅子トイレカバーにおいて、通常はユニットバスを簡易バスルームに変え、通常の便器部の便座カバーを水浸しにする事無く入浴面積を広く確保でき、又浴槽のお湯を洗剤で汚す事無く浴槽に入浴することが出来る効果を奏する。
【図面の簡単な説明】
【図１】本発明に係る一実施形態を示す斜面図。
【図２】本発明に係る一実施形態を示す裏面図。
【図３】本発明に係る一実施形態を示す側面図。
【図４】使用状態を示すユニットバス室内図。
【図５】便器へ取り付けた斜面図。
【図６】便器から取り外した状態の斜面図。
【番号の説明】
１　　簡易椅子トイレカバー本体
２　　滑り止め
３　　便器
４　　浴槽
【図１】
2004057749.tif 000003
【図２】
2004057749.tif 000004
【図３】
2004057749.tif 000005
【図４】
2004057749.tif 000006
【図５】
2004057749.tif 000007
【図６】
2004057749.tif 000008